(57)【要約】【課題】  着脱不能に一体化された状態で筐体の内部に設置される一対の取付部材のうち一方の取付部材を再利用することができる。【解決手段】  基板取付ベース３１と基板収容ケースとが一体化されている状態において、基板収容ケース６１を取り外す所定方向（垂直上方向）に移動させようとすると、ワンウェイネジ７０が基板取付ベース３１の一部をなす第１固定部材４１の阻止壁部に引っ掛かり基板収容ケースが所定方向へ移動するのを阻止する。そして、基板収容ケースの一部をなす第２固定部材５１を基板収容ケースから切除すると、基板取付ベース３１に対して基板収容ケースを所定方向に移動させることが可能となると共に第２固定部材５１に接合しているワンウェイネジ７０を第１固定部材４１から外すことが可能となり、第１固定部材４１が一部をなす基板取付ベース３１は元通りになる。【選択図】        図７
2005152210.tif 000002
【特許請求の範囲】
【請求項１】
筐体に取り付けられる第１取付部材の一部である第１固定部材と、
前記第１取付部材と一体化される第２取付部材の一部であり該第２取付部材から切除可能な第２固定部材と、
前記第１固定部材に引っ掛けられた状態で前記第２固定部材に取り外し不能に接合されることにより前記第１取付部材に対して前記第２取付部材が所定方向へ移動するのを阻止する移動阻止部材と、
を備え、
前記第２固定部材が前記第２取付部材から切除されたあとは、前記第１取付部材に対して前記第２取付部材が前記所定の方向へ移動可能となると共に前記移動阻止部材を前記第１固定部材から外すことが可能となる、
遊技機。
【発明の詳細な説明】
【技術分野】
【０００１】
本発明は、遊技機に関する。
【背景技術】
【０００２】
従来、例えばパチンコ機を代表とする遊技機において、制御基板の不正な改造を防止すると共に検査時に開放される本体ベースと本体カバーとを複数回、緊密に閉塞することができる基板収容ケースを備えたものが提案されている（例えば、特許文献１参照）。この遊技機は、本体ベースの一部である第１固定部材と本体カバーの一部である第２固定部材とに取り外し不能な封止部材を接合し、本体ベースと本体カバーとを脱着不能に封止させて制御基板の不正改造を防止し、制御基板の検査時には、この第２固定部材を切除して本体カバーを開放して制御基板の検査時を行い、次の第１固定部材及び第２固定部材に封止部材を接合して再度緊密に閉塞するというように複数回の固定、解除を行う。
【特許文献１】特開２０００−５１４９３号公報（図９）
【発明の開示】
【発明が解決しようとする課題】
【０００３】
しかし、上述の遊技機では、検査時に開放させるため第２固定部材を切除すると、本体ベースに第２固定部材が取り外しできない状態で残ってしまうため、遊技機の使用が終了したあとに分解・再利用を行おうとしても本体ベースを再利用することができなかった。また、基板収容ケースとそれを固定する基板取付ベースについても同様の問題があった。
【０００４】
本発明は、このような課題に鑑みなされたものであり、着脱不能に一体化された状態で筐体の内部に設置される一対の取付部材のうち一方の取付部材を再利用することができる遊技機を提供することを目的とする。
【課題を解決するための手段】
【０００５】
本発明の遊技機は、上述の目的を達成するために以下の手段を採った。
【０００６】
手段１．筐体に取り付けられる第１取付部材の一部である第１固定部材と、
前記第１取付部材と一体化される第２取付部材の一部であり該第２取付部材から切除可能な第２固定部材と、
前記第１固定部材に引っ掛けられた状態で前記第２固定部材に取り外し不能に接合されることにより前記第１取付部材に対して前記第２取付部材が所定方向へ移動するのを阻止する移動阻止部材と、
を備え、
前記第２固定部材が前記第２取付部材から切除されたあとは、前記第１取付部材に対して前記第２取付部材が前記所定の方向へ移動可能となると共に前記移動阻止部材を前記第１固定部材から外すことが可能となる、
遊技機。
【０００７】
この遊技機では、第１取付部材と第２取付部材とが一体化されている状態で、第１取付部材に対して第２取付部材を所定方向に移動させようとすると、第２取付部材の一部をなし第２固定部材に接合している移動阻止部材が第１固定部材に引っ掛かりその移動を阻止する。一方、第２固定部材を第２取付部材から切除すると、第１取付部材に対して第２取付部材を所定方向に移動させることが可能となり、また第２固定部材に接合している移動阻止部材を第１固定部材から外すことが可能となる。このため、第２固定部材を第２取付部材から切除し第２固定部材に接合している移動阻止部材を第１固定部材から外せば、その第１固定部材が一部をなす第１取付部材は元通りになる。したがって、元通りになった第１取付部材の第１固定部材に新しい第２取付部材の第２固定部材に接合している移動阻止部材が引っ掛かるようにすれば、その新しい第２取付部材が第１取付部材に対して所定方向に移動するのを阻止できる。このように、第１固定部材が一部をなす第１取付部材を再利用することができる。ここで、「筐体」とは、箱体のほか、枠体を含む。
【０００８】
手段２．手段１に記載の遊技機であって、前記固定部材が前記第２取付部材から切除されたあと前記移動阻止部材を前記第１固定部材から外すには、前記第２固定部材を前記所定方向とは異なる方向に移動させる、遊技機。第２取付部材の所定方向への移動を阻止するためには、第２取付部材の所定方向と同じ方向に移動阻止部材を移動させて取り外す構造とするのに比べて、第２取付部材の所定方向と異なる方向に移動阻止部材を移動させて取り外す構造とする方が設計がしやすい。
【０００９】
手段３．手段１又は２に記載の遊技機であって、前記第１固定部材は、前記所定方向に略直交する阻止壁部を備え、前記第２固定部材が前記第２取付部材から切除されていないときには、前記移動阻止部材は、前記第２取付部材を前記所定方向に移動させようとすると前記阻止壁部に引っ掛かり前記第２取付部材が前記所定方向へ移動するのを阻止する、遊技機。こうすれば、阻止壁部によって前記第２取付部材が移動するのを阻止することができる。
【００１０】
手段４．手段１又は２に記載の遊技機であって、前記第１固定部材は、前記所定方向に略直交する阻止壁部と、該阻止壁部に連結され前記移動阻止部材を取り囲む包囲壁部と、該包囲壁部の一部に設けられ前記移動阻止部材が前記所定方向とは異なる方向に通過可能な大きさの開口部と、を備え、前記第２固定部材を前記第２取付部材から切除していないときには、前記第２取付部材を前記所定方向に移動させようとすると前記移動阻止部材が前記阻止壁部に引っ掛かり前記第２取付部材が前記所定方向へ移動するのを阻止し、前記第２固定部材を前記第２取付部材から切除したあとは、前記移動阻止部材を前記開口部を通過させて外すことが可能となる、遊技機。こうすれば、移動阻止部材は、第１固定部材の阻止壁部及び包囲壁部によって取り囲まれているため、第１取付部材と第２取付部材とが一体化されている状態で第１取付部材に対して第２取付部材を所定方向に移動させようとしたとき、移動阻止部材が阻止壁部からずれることなく阻止壁部に引っ掛かりその移動を確実に阻止することができる。
【００１１】
手段５．手段４に記載の遊技機であって、前記第１固定部材は、略Ｕ字状に形成されている、遊技機。こうすれば、阻止壁部、包囲壁部及び開口部を有する構造が簡単に実現可能である。
【００１２】
手段６．手段１〜５のいずれかに記載の遊技機であって、前記第２固定部材は、前記所定方向に対して前記第１固定部材を両側から挟み込む一対の挟込壁部、を備え、前記移動阻止部材は、前記第１固定部材を両側から挟み込んだ前記一対の挟込壁部の一方と他方とに取り外し不能に接合される、遊技機。こうすれば、第２固定部材に備えた一対の挟込壁部の一方と他方との２箇所に移動阻止部材が接合されるため、移動阻止部材を堅固に固定することができる。
【００１３】
手段７．手段６に記載の遊技機であって、前記第２固定部材は、略Ｕ字状に形成され、該Ｕ字状の内部の空間内に前記第１固定部材が配置される、遊技機。こうすれば、第１固定部材を両側から挟み込む構造を容易に実現することができる。
【００１４】
手段８．手段１〜７のいずれかに記載の遊技機であって、前記第２固定部材は、前記第２固定部材を切除して前記移動阻止部材を取り外す方向と反対方向に前記第１固定部材が通過可能な大きさの通過部、を備え、前記第２固定部材が前記第２取付部材から切除されたあとに、前記第２固定部材に接合している前記移動阻止部材を前記取り外す方向に移動させるのに伴って前記第１固定部材が前記第２固定部材の前記通過部を通過する、遊技機。こうすれば、第２固定部材を取り外す方向と反対方向に通過部がない場合は、第２固定部材が第１固定部材に引っ掛かってしまい取り外しにくいことがあり得るが、これに比べて、第１固定部材を第２固定部材の通過部を取り外す方向と反対方向に通過させて取り外しやすい。
【００１５】
手段９．手段１〜８のいずれかに記載の遊技機であって、前記移動阻止部材は、前記所定方向と略直交するように設けられた棒状体である、遊技機。こうすれば、移動阻止部材を第１固定部材に引っ掛けて移動を阻止しやすい。
【００１６】
手段１０．手段１〜９のいずれかに記載の遊技機であって、前記移動阻止部材は、ワンウェイネジである、遊技機。こうすれば、第２固定部材に取り外し不能に接合しやすい。
【００１７】
手段１１．手段１〜１０のいずれかに記載の遊技機であって、前記第１取付部材は、前記第１固定部材を複数備え、前記第２取付部材は、前記第１固定部材と整合可能な位置に前記第２固定部材を前記第１固定部材と同数備えている、遊技機。こうすれば、第１取付部材と第２取付部材とを複数回固定・解除することができる。
【００１８】
手段１２．手段１〜１１のいずれかに記載の遊技機であって、前記第１取付部材は、前記筐体の内部に取り付けられた基板取付ベースであり、前記第２取付部材は、制御基板を収容した状態で前記基板取付ベースに一体化される基板収容ケースである、遊技機。こうすれば、基板取付ベースに移動阻止部材が残ることがなく、第１固定部材が切除されることもないため、制御基板が取り付けられた基板取付ベースの再利用が可能になる。
【００１９】
手段１３．前記遊技機はパチンコ機である、手段１〜１２のいずれかに記載の遊技機。こうすれば、パチンコ機において、手段１〜１２の作用効果が得られる。ここで、パチンコ機は、特に限定されず、どのような機種であってもよい。
【００２０】
手段１４．前記遊技機はスロットマシンである、手段１〜１２のいずれかに記載の遊技機。こうすれば、スロットマシンにおいて、手段１〜１２の作用効果が得られる。ここで、スロットマシンには、例えばＡタイプ（ビッグボーナスゲームが小役ゲーム３０回とＪＡＣゲーム３回のセットで構成されるタイプ）、Ｂタイプ（ビッグボーナスゲームが小役ゲーム３０回とＪＡＣゲーム２回のセットで構成されるタイプ）、Ｃタイプ（シングルボーナスが頻繁に揃うタイプ）、ＡタイプとＣタイプの複合機、ＢタイプとＣタイプの複合機などがあるが、いずれのスロットマシンであってもよいし、これらのタイプ以外のスロットマシンであってもよい。
【００２１】
手段１５．前記遊技機はパチンコ機とスロットマシンとを融合させてなる融合機である、手段１〜１２のいずれかに記載の遊技機。こうすれば、パチンコ機とスロットマシンとを融合させてなる融合機において、手段１〜１２の作用効果が得られる。ここで、融合機としては、例えば遊技媒体としてメダルの代わりに遊技球を用いるスロットマシンなどが挙げられる。
【００２２】
また、本発明は、取付部材固定構造に係る発明と見ることもできる。例えば、筐体に取り付けられる第１取付部材の一部である第１固定部材と、前記第１取付部材と一体化される第２取付部材の一部であり該第２取付部材から切除可能な第２固定部材と、前記第１固定部材に引っ掛けられた状態で前記第２固定部材に取り外し不能に接合されることにより前記第１取付部材に対して前記第２取付部材が所定方向へ移動するのを阻止する移動阻止部材と、を備え、前記第２固定部材が前記第２取付部材から切除されたあとは、前記第１取付部材に対して前記第２取付部材が前記所定の方向へ移動可能となると共に前記移動阻止部材を前記第１固定部材から外すことが可能となる、取付部材固定構造として捉えることもできる。この取付部材固定構造は、上述した手段１〜１２のいずれかの構成を採用したものであってもよい。
【発明を実施するための最良の形態】
【００２３】
次に、本発明を実施するための最良の形態を実施例を用いて説明する。
【実施例】
【００２４】
図１は本実施例のパチンコ機２０を裏面から見た外観図であり、図２は基板収容ケース３０及び基板取付ベースの斜視図である。パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられ特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどを内包する大型カバー１４と、遊技盤の各種入賞口への遊技球の入賞に応じて各種制御基板へ制御信号を出力するメイン制御基板がその内部に固定された基板固定部３０と、遊技球を遊技盤へ発射させるステップモータ１６とを備える。
【００２５】
基板固定部３０は、図２及び図３に示すように、パチンコ機２０の筐体に取り付けられる基板取付ベース３１（第１取付部材）に、パチンコ機２０を制御する主制御基板を収容する基板収容ケース６１（第２取付部材）を固定して一体化したものである。この基板収容ケース６１は、基板取付ベース３１に対して水平方向にスライドさせたのち垂直下方向に移動させ基板収容ケース６１の一部である第２固定部材５１の内部の空間内に基板取付ベース３１の一部である第１固定部材４１を嵌め込んでワンウェイネジ７０（移動阻止部材）によって固定される。なお、ワンウェイネジ７０は、基板取付ベース３１に対して基板収容ケース６１が取り外される垂直上方向に移動するのを阻止してこれらを一体化する。
【００２６】
基板取付ベース３１は、透明なＰＣ（ポリカーボネート樹脂）により成形されたものであり、矩形状のケース取付面３２と、ケース取付面３２に段差を設けて連結される取付枠３３とを備えている。ケース取付面３２には、各長辺に沿ってガイド部３４，３５が形成されている。ガイド部３４，３５は、基板収容ケース６１をスライドさせるものであり、ガイド部３５には、基板収容ケース６１を水平方向に導くガイド溝３６及び基板収容ケース６１が水平方向にスライドしたあと垂直下方向へ導くガイド孔３７が設けられている。また、ケース取付面３２のうち、取付枠３３が設けられている側とは反対側の辺には複数の切欠部３２ａ，３２ａ，…が設けられ、切欠部３２ａ同士の間には突出部３２ｂ，３２ｂ，…が設けられている。各突出部３２ｂには、複数（ここでは４つ）の第１固定部材４１が設けられている。これらの切欠部３２ａや突出部３２ｂには奥行き方向に連なる立壁部３２ｃが設けられ、この立壁部３２ｃには基板取付ベース３１をパチンコ機２０の裏側にビス止めするビス孔３８，３８が設けられている。取付枠３３は、図示しないランプ基板ケースや図示しない音声制御基板ケースを取り付ける枠であり、パチンコ機２０の裏側に備えた図示しない係止爪を引っ掛ける係止穴３９を備えている。なお、基板取付ベース３１は、係止穴３９に図示しない係止爪を引っ掛けたあとビス孔３８，３８にビス止めしてパチンコ機２０の本体に固定され、取付枠３３は、ランプ基板ケース及び音声制御基板ケースが取り付けられた状態で大型カバー１４（図１参照）の内部に格納される。
【００２７】
第１固定部材４１は、図２及び図３に示すように、基板取付ベース３１の一部をなす部材であり、基板取付ベース３１の突出部３２ｂに脚部４２を介してこの突出部３２ｂの表面から手前側に浮いた状態で支持されている。この第１固定部材４１は、水平方向に延びだした阻止壁部４３と、この阻止壁部４３に連結された包囲壁部４４，４４と、阻止壁部４３と包囲壁部４４，４４とによって囲まれた空間を外部空間に連通する開口部４５とを有し、阻止壁部４３と包囲壁部４４，４４とによって略Ｃ字状（Ｕ字を９０°回転した形状）となるように形成されている。なお、開口部４５は、図２において右方向に開口している。
【００２８】
基板収容ケース６１は、透明なＰＣにより成形され基板取付ベース３１と一体化される矩形状のものであり、図示しない主制御基板をケース本体６２の内部に固定した状態でケース蓋６３を閉めて封止機構６８により着脱不能に封止して一体化したものである。この基板収容ケース６１は、ケース下面６５から下方向に突き出した突起部６７を有し、基板取付ベース３１のガイド部３４及びガイド溝３６に嵌め込むとケース上面６４とガイド部３４が接触すると共に突起部６７とガイド溝３６が接触した状態で水平方向にスライド可能となる。この突起部６７は、ガイド部３５に設けられたガイド孔３７に嵌め込むことができる形状に成形されている。また、基板収容ケース６１には、封止機構６８と反対側の辺に端面５８が設けられ、この端面５８には、複数（ここでは４つ）の第２固定部材５１，５１，…が設けられている。ケース蓋６３は、制御基板の熱を外部へ放出するための多数の放熱孔６３ａが穿設されると共に、制御基板の検査回数を履歴として残すための履歴シールを貼り付けるシール貼付箇所６３ｂが設けられている。
【００２９】
第２固定部材５１は、基板収容ケース６１の一部をなす部材であり、ニッパなどで切除可能な連結部５２を介して端面５８から右方向へ浮いた状態で支持されている。この第２固定部材５１は、図３に示すように、第１固定部材４１を前面と背面の両側から挟み込む一対の挟込壁部５３，５３を備え、これらの上部同士が架橋部５６で架橋されることにより略逆Ｕ字状に形成されている。挟込壁部５３，５３は、その略中心にワンウェイネジ７０を挿入して取り外し不能に接合する接合孔５４，５４を備え、第１固定部材４１が通過可能な通過部５５がこれら挟込壁部５３，５３によって形成されている。なお、基板取付ベース３１は、第１固定部材４１を複数備え、基板収容ケース６１は、各第１固定部材４１と整合可能な位置に第２固定部材５１を第１固定部材４１と同数備えている。
【００３０】
ワンウェイネジ７０は、一度締め込むと取り外しができない棒状体であり、第２固定部材５１の挟込壁部５３，５３の接合孔５４，５４に挿入されて挟込壁部５３，５３に取り外し不能に接合される。この種のワンウェイネジ７０は、例えば特許文献１の図１０に開示されているものを利用可能である。このワンウェイネジ７０は、第１固定部材４１と第２固定部材５１とが嵌め込まれたあとに接合孔５４，５４に挿入され、第１固定部材４１の阻止壁部４３と包囲壁部４４との間に引っ掛けられた状態で第２固定部材５１に接合して基板取付ベース３１に対して基板収容ケース６１が垂直上方向に移動するのを阻止する。
【００３１】
次に、基板収容ケース６１を基板取付ベース３１に固定させる手順について説明する。図４は、基板取付ベース３１及び基板収容ケース６１の斜視図であり、図５は、基板取付ベース３１及び基板収容ケース６１の正面図である。まず、基板取付ベース３１を基板収容ケース６１に嵌め込み、各第１固定部材４１と各第２固定部材５１とを整合させる。具体的には、図４及び図５（ａ）に示すように、基板取付ベース３１のガイド部３４に基板収容ケース６１のケース上面６４を、基板取付ベース３１のガイド部３５に設けられたガイド溝３６に基板収容ケース６１の突起部６７が嵌るように位置合わせしたあと、図５（ａ）に示すように、基板収容ケース６１を水平右方向にスライドしていくと基板収容ケース６１の端面５８が第１固定部材４１の脚部４２に突き当たる（図５（ｂ））。このとき、突起部６７とガイド孔３７が対向する位置となり、基板収容ケース６１が垂直下方向に移動可能となる。次に、基板収容ケース６１をガイド孔３７に沿って垂直下方向に移動させると基板収容ケース６１のケース下面６５とガイド部３５とが突き当たる。このとき、各第１固定部材４１が各第２固定部材５１の一対の挟込壁部５３，５３に嵌め込まれた状態に配置される（図５（ｃ））。このとき、ワンウェイネジ７０を第２固定部材５１の挟込壁部５３，５３の接合孔５４，５４に挿入して、挟込壁部５３，５３の一方と他方に接合させると、第１固定部材４１の阻止壁部４３及び包囲壁部４４，４４によって形成された空間をワンウェイネジ７０が通過するようになる。複数の第２固定部材５１のうち１つの第２固定部材５１にワンウェイネジ７０を接合すると、ワンウェイネジ７０は阻止壁部４３の長手方向と直交するように配置され、基板収容ケース６１を垂直上方向に移動させようとすると、ワンウェイネジ７０が第１固定部材４１の阻止壁部４３に引っ掛かり基板収容ケース６１がその方向へ移動するのを阻止し、基板収容ケース６１と基板取付ベース３１とが一体となる。なお、基板収容ケース６１を水平左方向へ移動させようとすると、少なくとも、ガイド孔３７に突起部６７が嵌入しているため、その方向にも移動するのが阻止される。
【００３２】
次に、主制御基板の検査を行う際などに、基板収容ケース６１を基板取付ベース３１から取り外す手順について、最上部の第２固定部材５１にワンウェイネジ７０を接合した場合を例にあげて説明する。まず、図５（ｃ）に示した最上部の第２固定部材５１の連結部５２をニッパなどを用いて切断する。すると、基板取付ベース３１に対して基板収容ケース６１が垂直上方向へ移動可能になる。そこで、基板収容ケース６１を垂直上方向に移動させると、図６に示すように、基板収容ケース６１のケース上面６４が基板取付ベース３１のガイド部３４に突き当たる。なお、このときはまだ、基板収容ケース６１から切除された第１固定部材４１がワンウェイネジ７０と共に基板取付ベース３１の第１固定部材４１に引っ掛かっている状態である（図６、図７（ａ）参照）。続いて、基板収容ケース６１を水平左方向に移動させて基板収容ケース６１を基板取付ベース３１から取り外す。一方、図７（ｂ）に示すように、基板収容ケース６１から切断された第２固定部材５１を水平右方向（図７（ｂ）のＡ方向）に移動させると、第２固定部材５１に接合されているワンウェイネジ７０も水平右方向に移動し、これに伴って第１固定部材４１が第２固定部材５１の通過部５５を通過し、更にワンウェイネジ７０が開口部４５を通過して第１固定部材４１から外れる（図７（ｃ）参照）。この結果、第１固定部材４１が一部をなす基板取付ベース３１は、元通りとなる。なお、基板収容ケース６１のケース本体６２の内部に固定した主制御基板の検査などを行ったあと、再度固定する際には、上述の取付手順のように、基板取付ベース３１を基板収容ケース６１に嵌め込み、各第１固定部材４１と各第２固定部材５１とを整合させ、先程とは別の第２固定部材５１に新たなワンウェイネジ７０を挿入して取り外し不能に接合させる。このとき、基板収容ケース６１のシール貼付箇所６３ｂに制御基板の検査回数を表示した履歴シールを貼り付けると、第２固定部材５１が切除された個数と履歴シールに表示された検査回数とから不正な取り外しがあったか否かを確認することができる。
【００３３】
以上詳述した本実施例によれば、基板取付ベース３１と基板収容ケース６１とが一体化されている状態において、第２固定部材５１を基板収容ケース６１から切除すると、基板取付ベース３１に対して基板収容ケース６１を垂直上方向に移動させることが可能となると共に第２固定部材５１に接合しているワンウェイネジ７０を第１固定部材４１から外すことが可能となり、第１固定部材４１が一部をなす基板取付ベース３１は元通りになる。したがって、元通りになった基板取付ベース３１の第１固定部材４１に新しい基板収容ケース６１の第２固定部材５１に接合しているワンウェイネジ７０が引っ掛かるようにすれば、その新しい基板収容ケース６１が基板取付ベース３１に対して垂直上方向に移動するのを阻止できため、基板取付ベース３１を再利用することができる。
【００３４】
また、ワンウェイネジ７０を第１固定部材４１から外すには、第２固定部材５１を垂直上方向とは異なる水平右方向に移動させるため、基板収容ケース６１の垂直上方向と同じ方向にワンウェイネジ７０を移動させて取り外す構造とするのに比べて、設計がしやすい。
【００３５】
更に、第１固定部材４１は、阻止壁部４３と、包囲壁部４４，４４と、開口部４５と、を備え、略Ｕ字状に形成されているため、ワンウェイネジ７０が阻止壁部４３からずれることなく引っ掛かる構造が簡単に実現され、基板取付ベース３１に対して基板収容ケース６１が垂直上方向へ移動するのを確実に阻止することができる。
【００３６】
更にまた、第２固定部材５１は、一対の挟込壁部５３，５３及びこれらによって形成された通過部５５を備えて略Ｕ字状に形成され、Ｕ字状の内部の空間内に第１固定部材４１が嵌め込まれ、ワンウェイネジ７０が挟込壁部５３の一方と他方とに取り外し不能に接合されるため、挟込壁部５３，５３の２箇所にワンウェイネジ７０が固定されるため、第１固定部材４１を両側から挟み込む構造を容易に実現してワンウェイネジ７０を堅固に固定することができるし、第２固定部材５１が基板収容ケース６１から切除された際には取り外しやすい。
【００３７】
そして、ワンウェイネジ７０は、垂直上方向と略直交するように設けられた棒状体であるため、ワンウェイネジ７０を第１固定部材４１に引っ掛けて基板収容ケース６１の移動を阻止しやすい。
【００３８】
そしてまた、基板取付ベース３１は、第１固定部材４１を複数備え、基板収容ケース６１は、第１固定部材４１と整合可能な位置に第２固定部材５１を第１固定部材４１と同数備えているため、基板取付ベース３１と基板収容ケース６１とを複数回固定・解除することができる。
【００３９】
なお、本発明の実施の形態は、上述した実施例に何ら限定されるものではなく、本発明の技術的範囲に属する限り種々の形態を採り得ることはいうまでもない。
【００４０】
例えば、上述した実施例では、第１固定部材４１は、阻止壁部４３と包囲壁部４４，４４によって構成されているとしたが、包囲壁部４４，４４を省略した構造としてもよい。こうしても、阻止壁部４３によって基板取付ベース３１に対して基板収容ケース６１が垂直上方向へ移動するのを阻止することができる。
【００４１】
また、上述した実施例では、本発明の遊技機の第１取付部材及び第２取付部材の一例として基板取付ベース３１及び主制御基板を収容した基板収容ケース６１を示したが、他の基板を収容するケースとそれを遊技機の筐体の内部に固定する取付ベースとしてもよい。他の基板を収容するケースとしては、主制御基板以外の基板ケースであれば特に限定されないが、例えば払出制御基板を収容する払出制御基板ケース、表示制御基板を収容する表示制御基板ケース、ランプ制御基板を収容するランプ制御基板ケース、又は音声制御基板を収容する音声制御基板ケースなどが挙げられ、取付ベースとしては、払出制御基板ケース取付ベース、表示制御基板ケース取付ベース、ランプ制御基板ケース取付ベース、又は音声制御基板ケース取付ベースなどが挙げられる。これらの場合も上述した実施例と同様の効果が得られる。
【００４２】
更に、上述した実施例では、第１固定部材４１及び第２固定部材５１は、共に略Ｕ字形状に形成され、第１固定部材４１を第２固定部材５１に嵌め込んでワンウェイネジ７０を接合するものとしたが（図３参照）、図６に示すように、引っ掛け孔１４４を有する第１固定部材１４１に接合孔１５４を有する第２固定部材１５１を整合させ、接合孔１５４にワンウェイネジ１７０を挿入させて取り外し不能に接合して第１固定部材１４１の引っ掛け孔１４４にワンウェイネジ１７０を引っ掛ける構造としてもよい。具体的には、第１固定部材１４１は、基板取付ベース３１の一部をなす部材であり、基板取付ベース３１の突出部３２ｂに脚部１４２を介して支持されている。第１固定部材１４１は、ワンウェイネジ１７０が引っ掛けられる引っ掛け孔１４４が形成された円筒部１４３を備えている。なお、この第１固定部材１４１では、円筒部１４３が本発明の阻止壁部及び包囲壁部に相当し、引っ掛け孔１４４が本発明の開口部に相当する。第２固定部材１５１は、基板収容ケース６１の一部をなす部材であり、ニッパなどで切除可能な連結部１５２を介して端面５８から右方向へ支持されている。第２固定部材１５１は、ワンウェイネジ１７０が取り外し不能に接合される接合孔１５４を有する円筒部１５３を備えている。そして、上述した手順と同様に、基板取付ベース３１を基板収容ケース６１に嵌め込み、各第１固定部材１４１と各第２固定部材１５１とを整合させ、接合孔１５４にワンウェイネジ１７０を接合させると、基板収容ケース６１を取り外す垂直上方向（垂直上方向）に移動させようとするとワンウェイネジ１７０が第１固定部材４１の円筒部１４３に引っ掛かり基板収容ケース６１の移動が阻止されて基板取付ベース３１と基板収容ケース６１とが一体化する。そして、基板収容ケース６１を基板取付ベース３１から取り外す際には、第２固定部材１５１の連結部１５２をニッパなどで切除すると、第２固定部材１５１に取り外し不能に接合したワンウェイネジ１７０は、引っ掛け孔１４４から引き抜いて手前側の方向（垂直上方向と異なる方向）に取り外すことができる。こうすれば、第１固定部材４１及び第２固定部材５１を簡単な構造として、基板取付ベース３１を再利用することができる。
【００４３】
更にまた、上述した実施例では、基板取付ベース３１に対して基板収容ケース６１は、水平左方向に移動したあと、垂直下方向に移動して一体化される構成としたが、垂直方向にのみ移動したあと一体化される構成としてもよいし、水平方向にのみ移動したあと一体化される構成にしてもよいし、回転移動したあと一体化される構成にしてもよい。
【００４４】
そしてまた、上述した実施例では、パチンコ機２０を例にとって説明したが、本発明が適用可能な遊技機はパチンコ機に限定されるものではなく、遊技球の入球に伴って当否判定を行う全ての遊技機、例えばパチンコ機とスロットマシンとを融合させた遊技機などにも適用することができるのは勿論である。このパチンコ機とスロットマシンとを融合させた遊技機の基本構成の一例としては、遊技状態に応じてその遊技状態を識別させるための複数の図柄からなる図柄列を変動表示した後に図柄を確定表示する表示手段を備え、始動用操作手投（例えば操作レバー）の操作に起因して図柄の変動が開始され、停止用操作手段（例えばストップボタン）の操作に起因してあるいは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用すると共に図柄の変動開始に際しては所定数の遊技球を必要とし、特別遊技状態の発生に際しては多くの遊技球が払い出されるよう構成されてなる遊技機を挙げることができる。こうした遊技機には、少なくとも多数個の遊技球を取得できる遊技者に有利な状態である特別遊技状態（大当り状態）と、遊技球を消費する遊技者に不利な状態である通常遊技状態とが存在するものとすることもできる。あるいは、スロットマシンに適用することも可能である。
【図面の簡単な説明】
【００４５】
【図１】本実施例のパチンコ機２０を裏面から見た外観図である。
【図２】本実施例の基板取付ベース３１及び基板収容ケース６１の斜視図である。
【図３】本実施例の第１固定部材４１及び第２固定部材５１の斜視図である。
【図４】本実施例の基板取付ベース３１及び基板収容ケース６１の斜視図である。
【図５】本実施例の基板取付ベース３１及び基板収容ケース６１の正面図である。
【図６】本実施例の基板取付ベース３１及び基板収容ケース６１の斜視図である。
【図７】第１固定部材４１から第２固定部材５１を取り外す説明図である。
【図８】本実施例の第１固定部材１４１及び第２固定部材１５１の斜視図である。
【符号の説明】
【００４６】
１  外枠、３  ヒンジ、４  前枠、６  タンク、８  遊技球払出装置、１０  タンクレール、１２  払出制御基板ケース、１４  大型カバー、１６  ステップモータ、２０  パチンコ機、３０  基板固定部、３１  基板取付ベース、３２  ケース取付面、３２ａ  切欠部、３２ｂ  突出部、３２ｃ  立壁部、３３  取付枠、３４，３５  ガイド部、３６  ガイド溝、３７  ガイド孔、３８，３８  ビス孔、３９  係止穴、４１  第１固定部材、４２  脚部、４３  阻止壁部、４４  包囲壁部、４５  開口部、５１  第２固定部材、５２  連結部、５３  挟込壁部、５４  接合孔、５５  通過部、５６  架橋部、５８  端面、６１  基板収容ケース、６２  ケース本体、６３  ケース蓋、６３ａ  放熱孔、６３ｂ  シール貼付箇所、６４  ケース上面、６５  ケース下面、６７  突起部、６８  封止部、７０  ワンウェイネジ、１４１  第１固定部材、１４２  脚部、１４３  円筒部、１４４  引っ掛け孔、１５１  第２固定部材、１５２  連結部、１５３  円筒部、１５４  接合孔、１７０  ワンウェイネジ。
【図１】
2005152210.tif 000003
【図２】
2005152210.tif 000004
【図３】
2005152210.tif 000005
【図４】
2005152210.tif 000006
【図５】
2005152210.tif 000007
【図６】
2005152210.tif 000008
【図７】
2005152210.tif 000009
【図８】
2005152210.tif 000010